(57)【要約】【課題】個人の体格差、趣味嗜好に合わせて調整できるようにして、快適性を向上させた、ベッド装置を提供する。【解決手段】基台２上面に配置したベーシック部材３と、このベーシック部材３上に配置する中間部材４と、前記ベーシック部材３と中間部材４とを一体的に被せ配置する上層部材５とを備える。前記ベーシック部材３は波板形状に形成し、通気性のよい表地７で覆い、この表地７には、中間部材４を構成する分割部材４ａ〜４ｆを保持するための保持帯８を設ける。分割部材４ａ〜４ｆには、網状袋体９により覆い、素材の硬さを表示したタグ１０を設ける。前記上層部材５は、多数の通気孔を有するウレタンフォーム材をニット地で覆って構成し、下部周縁部５Ｅにより、前記ベーシック部材３下の基台２を覆う寸法設定とすることができる。【選択図】              図３
2004180879.tif 000002
【特許請求の範囲】
【請求項１】
基台上面に載置した反動抑制機能のベーシック部材と、このベーシック部材上に配置する、クッション調整性を有する中間部材と、前記ベーシック部材と中間部材とを一体的に被せ配置する通気性の上層部材とを備えたことを特徴とするベッド装置。
【請求項２】
前記中間部材をベーシック部材の下に配置させて、前記上層部材を中間部材とベーシック部材とに一体的に被せて、前記基台上面に載置するようにしたことを特徴とする請求項１記載のベッド装置。
【請求項３】
前記上層部材は、下部周縁部により、前記基台側面を覆う構成としたことを特徴とする請求項１または２記載のベッド装置。
【請求項４】
前記上層部材は、前記中間部材およびベーシック部材のみを覆う構成としたことを特徴とする請求項１または２記載のベッド装置。
【請求項５】
前記ベーシック部材は、合成樹脂製繊維を波形形状に成形して構成したことを特徴とする請求項１、２または４記載のベッド装置。
【請求項６】
前記中間部材は、複数の分割部材で構成し、これら分割部材は、異なる固さの素材で構成して適宜交換可能に配置するようにしたことを特徴とする請求項１、２または４記載のベッド装置。
【請求項７】
前記ベーシック部材に、前記中間部材を構成する複数の分割部材を着脱可能に保持する保持帯を備えたことを特徴とする請求項１、２、４、５記載のうち、いずれか１記載のベッド装置。
【請求項８】
前記中間部材に、多数の通気孔を配したことを特徴とする請求項１、２、４、６、７記載のうち、いずれか１記載のベッド装置。
【請求項９】
前記上層部材に凹凸加工を施したことを特徴とする請求項１、２、３、４記載のうちいずれか１記載のベッド装置。
【請求項１０】
前記上層部材に、多数の通気孔を配したことを特徴とする請求項１、２、３、４、９のうち、いずれか１記載のベッド装置。
【請求項１１】
前記中間部材における分割部材を、それぞれ網状袋体で覆う構成とし、ボトム幅方向端面に対応する箇所に素材の硬さを表示するタグを設けたことを特徴とする請求項６記載のベッド装置。
【請求項１２】
前記上層部材にシーツの係着手段を設けたことを特徴とする請求項１、２、３、４、９、１０記載のうちいずれか１記載のベッド装置。
【請求項１３】
前記上層部材に、上層部材内に前記ベーシック部材と中間部材とを収容保持する裏当て部材を装着したことを特徴とする請求項１、２、４記載のうち、いずれか１記載のベッド装置。
【請求項１４】
前記上層部材と前記ベーシック部材または中間部材とを係着する係着手段を設けたことを特徴とする請求項１ないし４記載のうちいずれか１記載のベッド装置。
【発明の詳細な説明】
【０００１】
【発明の属する技術分野】
本発明は、個人の体格差、趣味嗜好に合わせて調整できるようにして、快適性を向上させた、ベッド装置に関するものである。
【０００２】
【従来の技術】
これまでのベッドは、基台上に、別に製作したマットレスを載置して構成していた。すなわち、前記マットレスはあくまでベッド装置の一部であり、そのベッド装置に合わせて、様々な素材を用いて構成していた。
健常者が使用するベッドにおいては、人によって大きく好み嗜好が違うのは当然であり、一方、病院にあっては、それぞれ使用者の傷病状況に応じて素材を選定し、ベッドを形成してきた。
【０００３】
ここで良質な眠りをもたらすための要因として、ベッド装置としては
Ａ．人が乗ったときや、寝返りにより発生する反動を抑制可能であること、
Ｂ．人の新陳代謝により発生する熱と水分を、寝返り等の体動により、クッション材自体が呼吸するように拡縮変形することで放散させ、衣服内湿度を適度に保つものであること、
Ｃ．個人の体格差、趣味嗜好に合わせてクッション性を調整できるものであること、
を具備することが望ましいことが判明している。
【０００４】
【発明が解決しようとする課題】
そのためには、体圧分散と適正な身体のサポート、通気性、マットレスの制震性、血流阻害の低減、耐久構造等、各要素を同時に満足し、個人の体格差、趣味嗜好に合わせて調整できるようにすることで快適性を向上させ、併せて従来のようなベッド装置の一部としてではないマットレスとして構成して、外観性も新規なベッド装置として提案するに至ったのである。
本発明はこのような背景により、快適な睡眠をもたらすことのできる、ベッド装置を提供することを目的とする。
【０００５】
【課題を解決するための手段】
前記した課題を解決するために、本発明では、請求項１において、基台上面に載置した反動抑制機能のベーシック部材と、このベーシック部材上に配置する、クッション調整性を有する中間部材と、前記ベーシック部材と中間部材とを一体的に被せ配置する通気性の上層部材とを備えたベッド装置を提案する。
また本発明では、請求項２において、前記中間部材をベーシック部材の下に配置させて、前記上層部材を中間部材とベーシック部材とに一体的に被せて、前記基台上面に載置するようにしたベッド装置を提案する。
また本発明では、請求項３において、前記上層部材は、下部周縁部により、前記基台側面を覆う構成としたベッド装置を提案する。
また本発明では、請求項４において、前記上層部材は、前記中間部材およびベーシック部材のみを覆う構成としたベッド装置を提案する。
また本発明では、請求項５において、前記ベーシック部材は、合成樹脂製繊維を波形形状に成形して構成したベッド装置を提案する。
また本発明では、請求項６において、前記中間部材は、複数の分割部材で構成し、これら分割部材は、異なる固さの素材で構成して適宜交換可能に配置するようにしたベッド装置を提案する。
また本発明では、請求項７において、前記ベーシック部材に、前記中間部材を構成する複数の分割部材を着脱可能に保持する保持帯を備えたベッド装置を提案する。
また本発明では、請求項８において、前記中間部材に、多数の通気孔を配したベッド装置を提案する。
また本発明では、請求項９において、前記上層部材に凹凸加工を施したベッド装置を提案する。
また本発明では、請求項１０において、前記上層部材に、多数の通気孔を配したベッド装置を提案する。
また本発明では、請求項１１において、前記中間部材における分割部材を、それぞれ網状袋体で覆う構成とし、ボトム幅方向端面に対応する箇所に素材の硬さを表示するタグを設けたベッド装置を提案する。
また本発明では、請求項１２において、前記上層部材にシーツの係着手段を設けたベッド装置を提案する。
また本発明では、請求項１３において、前記上層部材に、上層部材内に前記ベーシック部材と中間部材とを収容保持する裏当て部材を装着したベッド装置を提案する。
さらに本発明では、請求項１４において、前記上層部材と前記ベーシック部材または中間部材とを係着する係着手段を設けたベッド装置を提案する。
【０００６】
請求項１、２によれば、ベーシック部材によって、人が上層部材に乗った際や、寝返りの際の反動を抑え、中間部材によってクッション性を調整し、上層部材によって通気性を阻害されず、快適な眠りがもたらされる。
【０００７】
請求項３によれば、基台上面に載置したベーシック部材と共に中間部材に被せた上層部材の下部周縁部は、床面に近接した箇所で、前記ベーシック部材下の基台を覆うため、基台が隠れ、シンプルな外観をもたらす。
【０００８】
請求項４によれば、中間部材およびベーシック部材の側面は上層部材によって覆われ、これら中間部材およびベーシック部材の幅方向へのずれを抑えることができる。
【０００９】
請求項５によれば、ベーシック部材を、合成樹脂製繊維を波形形状に成形して構成したことにより、柔軟性を有し、使用者の動きに起因する振動を吸収し、また、曲げ応力、せん段応力を吸収するので、ずれ力の発生を抑えることができる。
【００１０】
請求項６によれば、中間部材における分割部材を、異なる固さの素材のものを適宜交換配置することで、硬さを使用者の好みに合わせたものに調整することができる。
【００１１】
請求項７によれば、ベーシック部材に、クッション性を調整するべく選定した分割部材を、それぞれ保持帯により、分割部材の反発性を利用して抜け落ちないように保持することができる。
【００１２】
請求項８によれば、中間部材を構成する素材に多数の通気孔を形成したことにより、通気性の確保が図られる。
【００１３】
請求項９によれば、上層部材に凹凸加工を施したことにより、反力を抑制して使用者の血流阻害の低減が図られる。
【００１４】
請求項１０によれば、上層部材を構成する素材に多数の通気孔を形成したことにより、一層、通気性の確保が図られる。
【００１５】
請求項１１によれば、中間部材の分割部材は、素材の硬さを表示するタグによって、選択する際の便を図ることができる。
【００１６】
請求項１２によれば、上層部材にシーツを取り付けやすく、ベッドメーキングが容易となる。
【００１７】
請求項１３によれば、上層部材とベーシック部材および中間部材とは、ばらばらになるようなことはなく、反動抑制、通気性を損なうことはなく、さらには好みのクッション性で使用することができる。
【００１８】
請求項１４によれば、人の重みで変形しても、上層部材とベーシック部材および中間部材とは、ばらばらになるようなことはなく、反動抑制、通気性を損なうことはなく、さらには好みのクッション性で使用することができる。
【００１９】
【発明の実施の態様】
次に、本発明にかかるベッド装置について、一つの実施の態様を示し、添付の図面に基づいて以下説明する。
図１、図２、図３にベッド装置１を示す。このベッド装置１は、基台２上面に配置したベーシック部材３と、このベーシック部材３上に配置する、中間部材４と、前記ベーシック部材３と中間部材４とを一体的に被せ配置する上層部材５とを備えている。
【００２０】
前記基台２は、四隅にその太さ寸法と同等な長さ寸法の固定脚６を有し、角枠部材で構成して、上面の大きさを前記ベーシック部材３の面積とほぼ同等か、若干大きい寸法とすることができる。なお、前記基台２は、上面面積が通常のベッドにおけるメインフレームと同等の規格寸法として構成することもできる。
【００２１】
前記ベーシック部材３は、硬綿系中芯材で構成したもので、この硬綿系中芯材は、例えば弾力性を有する巻縮ステープルより構成したランダムウェブ（図示省略）にニードル加工を施して、このランダムウェブを平板状に加工すると共に波板形状に形成し、加熱処理をして成形保持すると共に、この熱処理したウェブを、伸縮性の布部材を介して、長手方向に縫製加工を施したものである。
前記巻縮ステープルは、例えば、ポリエステル、ポリエチレン、ポリプロピレン繊維やこれらの複合繊維によって構成することができる。
かかるベーシック部材３には、素材の通気性のよい表地７で覆うようにしている。この表地７には、マットレス長手両側面近傍に沿って後述する中間部材４を保持するための保持帯８を設けている。
【００２２】
前記中間部材４は、複数の分割部材４ａ，４ｂ，４ｃ，４ｄ，４ｅ，４ｆで構成し、これら分割部材４ａ〜４ｆは、それぞれ種々の異なる固さの素材で構成したものを備えており、使用状況に応じて、適宜交換して前記ベーシック部材３を包む表地７の保持帯８により配置保持するようにしている（図４参照）。
かかる分割部材４ａ〜４ｆの素材には、多数の通気孔（図示省略）を形成し、それぞれ表地として網状袋体９により覆うようにしており、通気性を確保している（図５参照）。またこの網状袋体９のボトム幅方向端面に対応する箇所には、素材の硬さを表示したタグ１０を逢着することができる。
前記分割部材４ａ〜４ｆを保持するための保持帯８は、前記ベーシック部材３を包む表地７の長手両側面近傍に沿って、帯状の布部材をループ状に縫着している。かかるループ状の保持帯８にそれぞれ分割部材４ａ〜４ｆの両端部近傍を差し入れて、前記分割部材４ａ〜４ｆの拡縮変形力によって、簡単には抜けないように保持する構成である。
なお、前記ベーシック部材３と中間部材４とは、逆に配置するようにしてもよい。
【００２３】
そして前記上層部材５は、詰物として例えば多数の通気孔を有するウレタンフォーム材をニット地で覆って構成している。ニット地としては、特に吸汗性、速乾性に優れ、皮膚に対する刺激が小さく、静電気の発生を抑制すると共に、帯電しにくい特性のものが好適である。
かかる上層部材５は、下部周縁部５Ｅにより、床面に近接した箇所で、前記ベーシック部材３下の基台２を覆う寸法設定とすることができる（図２参照）。
また前記上層部材５の両側面には、シーツ１１を止め着ける係着手段１２を設けることができる。係着手段１２としては、スナップファスナや、あるいは面ファスナが好適である。
なお、前記詰物としてのウレタンフォーム材表面には、凹凸加工（プロファイル加工）を施すこともできる。
もちろん、前記ウレタンフォーム材は単に平坦な板体としてもよい。
また、上層部材５と、前記ベーシック部材３または中間部材４とは、適宜な係着手段（図示省略）によって連結することができる。
【００２４】
以上のようなベッド装置１において、基台２にセッティングする際、前記基台２上面にベーシック部材３を載置し、次いで中間部材４を前記ベーシック部材３を包む表地７の保持帯８により保持するようにする。
この際、それぞれ種々の異なる固さの素材で構成した分割部材４ａ〜４ｆの中から、使用状況に応じて選択し、ループ状の保持帯８にそれぞれ分割部材４ａ〜４ｆの両端部近傍を差し入れて、前記分割部材４ａ〜４ｆの拡縮変形力によって、簡単には抜けないように保持することができる（図４参照）。分割部材４ａ〜４ｆを選択する際には、分割部材４ａ〜４ｆを包む網状袋体９のボトム幅方向端面に対応する箇所のタグ１０によって、素材の硬さを確認することができる。
【００２５】
そして、最後に上層部材５を、ベーシック部材３と共に、分割部材４ａ〜４ｆ上に、上から被せる。この際、上層部材５は、下部周縁部５Ｅにより、床面に近接した箇所で、前記ベーシック部材３下の基台２を覆うように寸法設定しているので、基台２を隠すことができ、マットレス全体があたかも浮上しているようにも見え、すっきりした外観をもたらすことができる。
さらに、使用時には、シーツ１１を、上層部材５の両側面の係着手段１２によって、簡単に止め着けることができ、ベッドメーキングが容易である（図１参照）。
【００２６】
かかるベッド装置１において、上層部材５の、表地としてのニット地により、吸汗性、速乾性に優れ、皮膚に対する刺激が小さく、静電気の発生を抑制すると共に、帯電しにくいものとすることができ、詰物としてのウレタンフォーム材により、通気性を確保し、且つ反力の抑制によって血流阻害の低減を図ることができる。
また、中間部材４を、選択した固さの分割部材４ａ〜４ｆを使用することで、個人差によって体型や姿勢が異なることからくる違和感を最小にする、最適なクッション性をもたらすことができる。
さらには、通気性のよい表地７で覆った、合成樹脂製繊維を波形形状に成形して構成し、見掛け密度、圧縮硬さが所定のものを選定した適度な固さのベーシック部材３により、底着きしないことはもちろん、使用者が就寝中の寝返り等の動き、呼吸等による振動に対する反動の抑制、ずれ力の発生の抑制をもたらすことができる。
なお、前記上層部材５と、ベーシック部材３または中間部材４とを、適宜な係着手段によって係着するようにすれば、上層部材５上に人が乗って変形しても、上層部材５がベーシック部材３および中間部材４から離れてばらばらになるようなことはなく、これら上層部材５、ベーシック部材３および中間部材４とが一体となって上述の効果をもたらすことができる。
【００２７】
また、本発明にかかるベッド装置１における上層部材５には、凹凸加工（プロファイル加工）を施すようにしても良い。
【００２８】
このような加工によって、上層部材５は、一層反力を抑えて使用者の血流阻害を低減し、効果的に通気性の促進をもたらすことができ、快適なベッド装置１とすることができる。
【００２９】
さらに本発明にかかるベッド装置１は、以下のように構成することもできる。
すなわち図６、図７に示すように、ベッド装置１は、上層部材５内に、ベーシック部材３と中間部材４とを収容すると共に、上層部材５底面を裏当て部材１３によってファスナ１４により、一体的に閉止して構成することができる。
【００３０】
このような構成とすれば、上層部材５上に人が乗って変形しても、上層部材５がベーシック部材３および中間部材４から離れてばらばらになるようなことはなく、これら上層部材５、ベーシック部材３および中間部材４とが一体となって作用し、人が乗ったときや、寝返りにより発生する反動を抑制したり、人の新陳代謝により発生する熱と水分を、寝返り等の体動により、クッション材自体が呼吸するように拡縮変形することで放散させ、衣服内湿度を適度に保つものであることには変わりはない。
もちろん、中間部材４を、選択した固さの分割部材４ａ〜４ｆを使用することで、個人差によって体型や姿勢が異なることからくる違和感を最小にする、最適なクッション性をもたらすことができる。
【００３１】
さらに、図示は省略するが上述のように上層部材５内に前記ベーシック部材３および中間部材４を収容しなくても、上層部材５をベーシック部材３および中間部材４に被せた際、上層部材５下部側面は、ベーシック部材３上に中間部材４を配置する場合は、ベーシック部材３の底面の位置まで覆う設定とし、一方、中間部材４上にベーシック部材３を配置するような場合は、中間部材４の底面の位置まで覆う設定とすることができる。
かかる構成の場合、上層部材５とベーシック部材３または中間部材４とを、適宜な係着手段で、一体的に保持することができる。
【００３２】
このような構成においても、これら上層部材５、ベーシック部材３および中間部材４とが一体となって作用し、反動を抑制したり、人の新陳代謝により発生する熱と水分を放散させ、衣服内湿度を適度に保つものであり、さらには、中間部材４を、選択した固さの分割部材４ａ〜４ｆを使用することで、最適なクッション性をもたらすことができる。
【００３３】
【発明の効果】
本発明によれば、良質な眠りをもたらす要因である、
Ａ．人が乗ったときや、寝返りにより発生する反動を抑制可能であること、
Ｂ．人の新陳代謝により発生する熱と水分を、寝返り等の体動により、クッション材自体が呼吸するように拡縮変形することで放散させ、衣服内湿度を適度に保つものであること、
Ｃ．個人の体格差、趣味嗜好に合わせてクッション性を調整できるものであること、
等を具備し、しかも上層部材を、ベーシック部材と共に、中間部材における分割部材上に、上から被せることで、上層部材の下部周縁部により、前記ベーシック部材下の基台を覆うようにして、外観上もシンプルな一体感のある新規なベッド装置を提供することができる。
【００３４】
【図面の簡単な説明】
【図１】本発明にかかるベッド装置の一例を示す、外観斜視図である。
【図２】図１に示すベッド装置の断面説明図である。
【図３】図１に示すベッド装置の構成を説明する分解斜視説明図である。
【図４】図１に示すベッド装置における中間部材とその取り付け構成を示す、要部斜視説明図である。
【図５】図４に示す中間部材を構成する分割部材の外観斜視図である。
【図６】本発明にかかるベッド装置の別例にかかる断面説明図である。
【図７】図６に示すベッド装置における上層部材の斜視説明図である。
【符号の説明】
１                            ベッド装置
２                            基台
３                            ベーシック部材
４                            中間部材
４ａ〜４ｆ                    分割部材
５                            上層部材
５Ｅ                          下部周縁部
６                            固定脚
７                            表地
８                            保持帯
９                            網状袋体
１０                          タグ
１１                          シーツ
１２                          係着手段
１３                          裏当て部材
１４                          ファスナ
【図１】
2004180879.tif 000003
【図２】
2004180879.tif 000004
【図３】
2004180879.tif 000005
【図４】
2004180879.tif 000006
【図５】
2004180879.tif 000007
【図６】
2004180879.tif 000008
【図７】
2004180879.tif 000009